(57)【特許請求の範囲】
【請求項１】
ライトガイド用光ファイバー束からの照明光で照明された観察部位からの反射光を受光し、該観察部位の像を得る内視鏡本体を有する内視鏡であって、
前記内視鏡本体の少なくとも先端を、該先端での照明光の反射により前記観察部位の照明を補助し得る程度の高反射率としたことを特徴とする内視鏡。
【請求項２】
前記内視鏡本体の先端部に装着された円筒状の撮影距離保持具を有し、
前記撮影距離保持具の少なくとも内周面を、その部位での照明光の反射により前記観察部位の照明を補助し得る程度の高反射率とした請求項１に記載の内視鏡。
【請求項３】
前記内視鏡本体の外周面と前記撮影距離保持具の外周面とが、段差のない連続面を形成している請求項２に記載の内視鏡。
【請求項４】
前記撮影距離保持具の少なくとも外周面および先端は、軟質材料で構成されている請求項２または３に記載の内視鏡。
【請求項５】
前記撮影距離保持具は、前記内視鏡本体に対し着脱自在である請求項２ないし４のいずれかに記載の内視鏡。
【請求項６】
前記高反射率の部位の照明光の反射率は、１０％以上である請求項１ないし５のいずれかに記載の内視鏡。
【発明の詳細な説明】
【０００１】
【発明の属する技術分野】
本発明は、医療用、工業用等に用いられる内視鏡に関する。
【０００２】
【従来の技術】
医療の分野では、消化管等の検査、診断に、内視鏡が使用されている。この内視鏡は、ライトガイド用光ファイバー束およびイメージガイド用光ファイバー束を内蔵する内視鏡本体と、内視鏡本体の基端側に設置され、ライトガイド用光ファイバー束を介して照明する照明用光源と、内視鏡本体の基端側に設置され、イメージガイド用光ファイバー束を介して観察される被写体像をモニターするモニター装置とを有している。
【０００３】
また、内視鏡本体の先端部には、円筒状の撮影距離保持具が設置されることがある。この撮影距離保持具の先端を、例えば消化管の内壁のような被写体に当接させることで、被写体との距離を一定に保持したり、被写体との位置関係を固定することができる。
【０００４】
特に、変倍内視鏡では、広角で観察距離が長い通常観察と狭角で観察距離が短い拡大観察とに切り替えて（連続的・２焦点式等）使用されるが、拡大観察時では、被写体との距離（２〜４mm程度）を一定に保つ必要がある。この場合、拡大倍率が高くなると、わずかな動きでも対象を捉えにくくなり、また、観察画像にブレを生じるため、撮影距離保持具による内視鏡先端部の固定は、重要である。
【０００５】
また、その他、治療、細胞検査などの処理を行う場合にも、内視鏡本体先端部と被写体との位置関係を固定する必要があり、これらの場合にも撮影距離保持具が活用されている。
【０００６】
このような内視鏡により被写体を観察する際、照明用光源からの照明光は、ライトガイド用光ファイバー束を通り、照明光学系を経て被写体に照射される。
【０００７】
しかしながら、限られた光量の照明光しか導入することができず、また、広角域の観察を行うので、観察視野内に照明ムラが生じ（特に、観察視野の縁部において光量が不足することがある）、被写体の良好な観察を妨げることがあるという欠点がある。この照明ムラは、写真撮影や、治療、細胞検査などの処理を行うときに特に問題となる。
【０００８】
【発明が解決しようとする課題】
本発明の目的は、観察視野内の照明ムラを防止することにより、より適正な観察画像を得ることができる内視鏡を提供することにある。
【０００９】
【課題を解決するための手段】
このような目的は、下記（１）〜（６）の本発明により達成される。
【００１０】
（１）  ライトガイド用光ファイバー束からの照明光で照明された観察部位からの反射光を受光し、該観察部位の像を得る内視鏡本体を有する内視鏡であって、
前記内視鏡本体の少なくとも先端を、該先端での照明光の反射により前記観察部位の照明を補助し得る程度の高反射率としたことを特徴とする内視鏡。
【００１１】
（２）  前記内視鏡本体の先端部に装着された円筒状の撮影距離保持具を有し、
前記撮影距離保持具の少なくとも内周面を、その部位での照明光の反射により前記観察部位の照明を補助し得る程度の高反射率とした上記（１）に記載の内視鏡。
【００１２】
（３）  前記内視鏡本体の外周面と前記撮影距離保持具の外周面とが、段差のない連続面を形成している上記（２）に記載の内視鏡。
【００１３】
（４）  前記撮影距離保持具の少なくとも外周面および先端は、軟質材料で構成されている上記（２）または（３）に記載の内視鏡。
【００１４】
（５）  前記撮影距離保持具は、前記内視鏡本体に対し着脱自在である上記（２）ないし（４）のいずれかに記載の内視鏡。
【００１５】
（６）  前記高反射率の部位の照明光の反射率は、１０％以上である上記（１）ないし（５）のいずれかに記載の内視鏡。
【００１６】
【発明の実施の形態】
以下、本発明の内視鏡を添付図面に示す好適実施例に基づいて詳細に説明する。
【００１７】
図１は、本発明の内視鏡（直視タイプ）の第１実施例を示す全体図、図２は、図１に示す内視鏡の先端部の構成を示す側面図、図３は、図１に示す内視鏡の先端部における照明光の反射を示す図、図４は、図２中のＡ−Ａ線矢視図である。
【００１８】
これらの図に示すように、本発明の内視鏡１は、可撓性（柔軟性）を有する長尺物の内視鏡本体２と、内視鏡本体２の基端側に設置された操作部４と、内視鏡本体２の先端部２２に設置された撮影距離保持具（フード）３とを有している。
【００１９】
図１に示すように、内視鏡本体２は、その先端側に、湾曲（屈曲）可能な湾曲部２１を有している。そして、この湾曲部２１の先端に、先端部２２が形成されている。
【００２０】
図４に示すように、この先端部２２には、観察光学系（対物光学系）５と、一対の照明光学系６、６とがそれぞれ内蔵されている。これら観察光学系５と照明光学系６とで内視鏡光学系が構成される。
【００２１】
また、内視鏡本体２には、ライトガイド用光ファイバー束と、イメージガイド用光ファイバー束とが内蔵されている。ライトガイド用光ファイバー束は、照明光学系６の基端側から操作部４側に向って配置され、イメージガイド用光ファイバー束は、観察光学系５の基端側から操作部４側に向って配置されている。なお、観察部位（被写体）の像は、観察光学系５を介して、このイメージガイド用光ファイバー束の入射端面に結像する。
【００２２】
また、内視鏡本体２には、鉗子、ＹＡＧレーザ治療具等の処置具を挿通するチャンネル（ルーメン）２３と、洗浄を行うための送気・送水口２４とが形成されている。
【００２３】
前記チャンネル２３、送気・送水口２４、イメージガイド用光ファイバー束、ライトガイド用光ファイバー束、観察光学系５および照明光学系６は、それぞれ、内視鏡本体２の中心軸から偏心した位置に配置されている。この場合、照明光学系６は、観察光学系５の近傍で、かつ観察光学系５の図４中左右両側に位置している。
【００２４】
また、内視鏡本体２の先端面（先端）２２４における観察光学系５の外周部（コバ部）には、遮光部２２５が形成されている。
【００２５】
この遮光部２２５は、観察光学系５の第１面の外周部等から入射する光を遮るために設けられるものであり、カーボン粉を混入した接着剤等を前記外周部に塗布することにより形成されている。
【００２６】
図１に示すように、操作部４は、その外壁を形成する操作部本体４１および操作部カバー４２と、湾曲部２１を遠隔的に湾曲操作（屈曲操作）するための湾曲操作機構とで構成されている。操作部本体４１には、その湾曲操作を行うための湾曲操作レバー４３が回動自在に支持されている。
【００２７】
変倍が可能な内視鏡（変倍内視鏡）では、この湾曲操作レバー４３とほぼ同様の構成の図示しない変倍操作レバー等が設けられており、その変倍操作レバーを操作することにより変倍させることができる。
【００２８】
操作部本体４１の頭部には、接眼部７が突設されている。この接眼部７は、図示しないカメラボックスに着脱自在に接続し得るようになっている。このカメラボックス内には、ＣＣＤ（撮像素子）および撮像光学系等を備えた図示しないカメラユニット（撮像部）が収納されている。
【００２９】
そして、前記カメラユニットには、該カメラユニットで撮像した観察部位の像をモニターする図示しないモニター装置が接続されている。
【００３０】
また、操作部本体４１における湾曲操作レバー４３の支持部と反対側には、前記ライトガイド用光ファイバー束が挿通されている可撓性の連結管８が接続されている。この連結管８の先端には、図示しない光源装置に接続されるコネクタ９が連結されている。
【００３１】
図２、図３および図４に示すように、内視鏡本体２の先端部２２には、円筒状の撮影距離保持具３が着脱自在に装着されている。
【００３２】
この撮影距離保持具３の先端を観察部位に当接させることで、観察部位との距離を一定に保持したり、観察部位との位置関係を固定することができる。
【００３３】
この撮影距離保持具３は、内周面３１での照明光の反射により観察部位の照明を補助し得る程度の高反射率、すなわち、２次照明として機能し得る程度の高反射率（以下、単に「高反射率」と言う）とされている。
【００３４】
具体的には、撮影距離保持具３の照明光の反射率、すなわち、撮影距離保持具３の内周面３１の照明光の反射率（高反射率の部位の照明光の反射率）は、遮光部２２５のそれより高く設定される。
【００３５】
なお、遮光部２２５は、前述したようにカーボン粉等で構成されており、その反射率は、数％程度である。
【００３６】
前記撮影距離保持具３の内周面３１の反射率は、好ましくは、１０％以上、より好ましくは、３０％以上、さらに好ましくは、５０〜８０％程度とされる。
【００３７】
前記撮影距離保持具３の内周面３１の反射率を１０％以上に設定することにより、より均一な照明を行うことができる。
【００３８】
照明光は、光源装置の図示しない光源により定まる。前記光源としては、例えば、キセノン光源、ハロゲン光源等を用いることができる。
なお、照明光が可視光の場合、白色光でもよく、また、単色光でもよい。
【００３９】
撮影距離保持具３の径は、一定かまたは先端に向って漸減している（先細っている）のが望ましい。
【００４０】
撮影距離保持具３の構成材料としては、撮影距離保持具３の内周面３１を高反射率にし得るものであれば特に限定されないが、例えば、アルミニウム、チタン等の金属材料や、アクリル等の硬質樹脂や、各種セラミックスのような硬質材料、または、ゴム材料や、軟質樹脂のような軟質材料等を用いることができる。
【００４１】
これらのうち、より均一な照明を行うという観点からは、前記撮影距離保持具３の内周面３１の反射率をより高くし得る材料、例えば、金属材料が好ましい。しかしながら、観察部位、特に生体組織の保護の理由からは、軟質材料がより好ましい。
【００４２】
図５は、内視鏡本体２の先端部２２と撮影距離保持具３とを示す部分断面図である。
【００４３】
この内視鏡１では、内視鏡本体２の先端面（先端）２２４が、前述した撮影距離保持具３と同様に、高反射率とされている。
【００４４】
具体的には、図５に示すように、内視鏡本体２の先端のチャンネル２３、送気・送水口２４、観察光学系５、照明光学系６および遮光部２２５を除く部分には、高反射率の反射層（被覆層）２２６が被覆形成されている。すなわち、内視鏡本体２の先端面２２４は、前記被覆層２２６の表面で構成されている。
【００４５】
被覆層２２６としては、例えば、所定の塗料（例えば、白色やその他の淡色の塗料）を塗布したものや、前述した撮影距離保持具３の金属材料をメッキ、金属蒸着、スパッタリング等により形成したものが挙げられる。
【００４６】
また、図５に示すように、内視鏡本体２の先端部２２の先端側には、外径が縮径する縮径部２２１が形成されている。この縮径部２２１には、雄ねじ（ねじ）２２２が形成されている。
【００４７】
そして、撮影距離保持具３の基端側には、前記雄ねじ２２２と螺合する雌ねじ（ねじ）３２が形成されている。
【００４８】
この内視鏡１では、撮影距離保持具３の端面３３が先端部２２の端面２２３に当接するまで、撮影距離保持具３を所定方向に回転させて両ねじ２２２、３２を螺合することで、撮影距離保持具３を先端部２２に装着する。
【００４９】
また、内視鏡本体２の外周面と撮影距離保持具３の外周面とが、段差のない連続面を形成するように、内視鏡本体２の外径、縮径部２２１の外径、撮影距離保持具３の外径等の諸条件が設定される。これにより、内視鏡本体２の目的部位への挿入を容易に行うことができるとともに、内視鏡本体２の挿入時に、通過部位の損傷を防止することができる。
【００５０】
また、撮影距離保持具３の先端は、丸みを帯びている。これにより、内視鏡本体２の挿入を容易に行うことができるとともに、内視鏡本体２の挿入時の通過部位の損傷や、撮影距離保持具３の先端を観察部位に当接させたときの観察部位の損傷を防止することができる。
【００５１】
次に、内視鏡１の作用を説明する。
撮影距離保持具３を内視鏡本体２の先端部２２に装着する場合には、撮影距離保持具３の端面３３が先端部２２の端面２２３に当接するまで、撮影距離保持具３を所定方向に回転させて両ねじ２２２、３２を螺合する。
【００５２】
観察部位に撮影距離保持具３の先端を当接させてその観察部位を観察する際は、光源装置からの照明光は、ライトガイド用光ファイバー束を通り、照明光学系６を経て観察部位に照射される。
【００５３】
この場合、図３に示すように、照明光学系６からの照明光は、広角に広がり、その照明光（１次照明光）の一部は、内周面３１で反射し、この反射光は、観察部位を照明する。また、観察部位に到達し、該観察部位で反射した照明光の一部も、さらに内周面３１や先端面２２４で反射し、この反射光（２次照明光）は、観察部位を照明（２次照明）する。
【００５４】
このように、内周面３１および先端面２２４が積分球のように作用し、すなわち、照明光の一部が内周面３１や先端面２２４で１回または２回以上反射して観察部位を照明することで、１次照明光による観察部位の照明、特に１次照明光の強度の低い観察部位の縁部の照明が補助される。これにより観察部位全体が均一に照明される。
【００５５】
観察部位からの反射光は、観察光学系５を経て、イメージガイド用光ファイバー束を通り、カメラユニットに導かれる。そして、このカメラユニットの撮像光学系により、前記反射光は、カメラユニットのＣＣＤの受光面上に結像するように導かれる。
【００５６】
観察部位の像は、カメラユニットで撮像され、その映像は、モニター装置に表示される。
【００５７】
撮影距離保持具３を内視鏡本体２の先端部２２から取り外す場合には、撮影距離保持具３を前記と逆方向に回転させる。
【００５８】
撮影距離保持具３を内視鏡本体２の先端部２２から取り外したときは、内視鏡本体２の外径、すなわち先端部２２の外径を一定にするために、ダミーのリング（図示せず）を先端部２２に装着する。
【００５９】
なお、内視鏡１で観察部位を観察する場合、電子画像としてモニターする場合に限らず、接眼部７の図示しない接眼光学系を介して肉眼で観察してもよい。
【００６０】
以上説明したように、内視鏡１によれば、観察部位全体、すなわち観察視野内を均一に照明することができる。
【００６１】
よって、観察画像の一部（例えば、観察画像の縁部）が暗くなってしまうのを防止することができ、より適正な観察画像を得ることができる（より適正な映像をモニター装置に表示することができる）。
【００６２】
また、撮影距離保持具３が内視鏡本体２に対して着脱自在であるので、撮影距離保持具３および内視鏡本体２の洗浄を容易かつ確実に行うことができる。
【００６３】
なお、前述した内視鏡１の高反射率の部位の表面は、鏡面に仕上げてもよく、また、拡散面に仕上げてもよい。
【００６４】
次に、本発明の内視鏡の第２実施例を説明する。
図６は、本発明の内視鏡の第２実施例における内視鏡本体２の先端部２２と撮影距離保持具３とを示す部分断面図である。なお、前述した第１実施例の内視鏡１との共通点については説明を省略し、主な相違点を説明する。
【００６５】
同図に示すように、第２実施例の内視鏡１の撮影距離保持具３の内側には、高反射率の反射層（被覆層）３５が被覆形成されている。すなわち、撮影距離保持具３の内周面３１は、前記被覆層３５の表面で構成されている。
【００６６】
被覆層３５としては、例えば、所定の塗料（例えば、白色やその他の淡色の塗料）を塗布したものや、前述した撮影距離保持具３の金属材料をメッキ、金属蒸着、スパッタリング等により形成したものが挙げられる。
【００６７】
この内視鏡１でも前述した第１実施例等の内視鏡１と同様に、撮影距離保持具３の内周面３１および内視鏡本体２の先端面２２４が高反射率となっているので、観察視野内を均一に照明することができ、よって、より適正な観察画像を得ることができる。
【００６８】
この実施例では、被覆層３５により高反射率が実現されているので、撮影距離保持具３の構成材料としては、観察部位（生体）の保護の理由から、ゴム材料や軟質樹脂のような軟質材料を用いるのが好ましい。
【００６９】
なお、本発明では、撮影距離保持具３の周方向または高さ方向の一部分に被覆層３５を設けてもよい。
【００７０】
次に、本発明の内視鏡の第３実施例を説明する。
図７は、本発明の内視鏡の第３実施例における内視鏡本体２の先端部２２と撮影距離保持具３とを示す部分断面図である。なお、前述した第１または第２実施例の内視鏡１との共通点については説明を省略し、主な相違点を説明する。
【００７１】
同図に示すように、第３実施例の内視鏡１の撮影距離保持具３は、外表面および先端に、軟質材料で構成された被覆層３４を有している。
軟質材料としては、例えば、ゴム材料等の弾性素材を用いることができる。
【００７２】
この内視鏡１でも前述した第１実施例等の内視鏡１と同様に、撮影距離保持具３の内周面３１および内視鏡本体２の先端面２２４が高反射率となっているので、観察視野内を均一に照明することができ、よって、より適正な観察画像を得ることができる。
【００７３】
また、被覆層３４を有しているので、内視鏡本体２の挿入時の通過部位（生体）の損傷や、撮影距離保持具３の先端を観察部位（生体）に当接させたときの観察部位の損傷を防止することができる。
【００７４】
ここで、撮影距離保持具３の主要部を金属材料、硬質樹脂、またはセラミックスのような硬質材料で構成する場合、特に、金属材料で構成する場合には、本実施例のように、撮影距離保持具３に被覆層３４を形成するのが好ましい。
【００７５】
次に、本発明の内視鏡の第４実施例を説明する。
図８は、本発明の内視鏡の第４実施例における内視鏡本体２と撮影距離保持具３とを示す図（図２中のＡ−Ａ線矢視図）、図９は、本発明の内視鏡の第４実施例における内視鏡本体２の先端部２２と撮影距離保持具３とを示す部分断面図である。なお、前述した第１または第２実施例の内視鏡１との共通点については説明を省略し、主な相違点を説明する。
【００７６】
これらの図に示すように、第４実施例の内視鏡１には、前述した第１実施例等の内視鏡１の雄ねじ２２２および雌ねじ３２に代わり、バヨネットマウント式の連結部１１が設けられている。以下、この連結部１１の構成を説明する。
【００７７】
内視鏡本体２の先端部２２の縮径部２２１には、その周方向に沿って、複数のＬ字状の長孔１１１が形成されている。この場合、長孔１１１の幅は、縮径部２２１の外周側より内周側が大きく設定されている。
【００７８】
また、撮影距離保持具３の基端側の内周面３１には、前記各長孔１１１に対応する突起１１５が形成されている。
【００７９】
突起１１５は、円柱状の頭部１１６と、この頭部１１６に同心的に形成された円柱状の軸部１１７とで構成されている。この場合、頭部１１６の直径は、軸部１１７の直径より大きく、長孔１１１の外周側の幅より大きく、かつ、長孔１１１の内周側の幅より小さく設定されている。すなわち、突起１１５の頭部１１６を長孔１１１に挿入することができ、かつ、その頭部１１６が長孔１１１から抜けないようになっている。
【００８０】
撮影距離保持具３を内視鏡本体２の先端部２２に装着する場合には、まず、撮影距離保持具３の各突起１１５を対応する長孔１１１に挿入し、撮影距離保持具３を基端側（図９中上側）に押し込む。これにより、突起１１５は、長孔１１１の基端部（図９中上側端部）に移動する。
【００８１】
次いで、突起１１５が長孔１１１の最奥部（図９中右側端部）の内面に当接するまで、撮影距離保持具３を所定方向に回転させることで、撮影距離保持具３を先端部２２に装着する。
【００８２】
この内視鏡１でも前述した第１実施例等の内視鏡１と同様に、撮影距離保持具３の内周面３１および内視鏡本体２の先端面２２４が高反射率となっているので、観察視野内を均一に照明することができ、よって、より適正な観察画像を得ることができる。
【００８３】
また、突起１１５を先端部２２に係合させることにより撮影距離保持具３を装着するので、前述した第１実施例の内視鏡１に比べ、撮影距離保持具３の着脱をより容易に行うことができる。
【００８４】
なお、この内視鏡１でも前述した第３実施例の内視鏡１と同様に、撮影距離保持具３が、外表面および先端に、軟質材料で構成された被覆層３４を有していてもよい。
【００８５】
次に、本発明の内視鏡の第５実施例を説明する。
図１０は、本発明の内視鏡の第５実施例における内視鏡本体２の先端部２２と撮影距離保持具３とを示す部分断面図である。なお、前述した第１または第２実施例の内視鏡１との共通点については説明を省略し、主な相違点を説明する。
【００８６】
同図に示すように、第５実施例の内視鏡１では、内視鏡本体２の先端部２２と撮影距離保持具３とが一体的に形成されている。
【００８７】
この内視鏡１でも前述した第１実施例等の内視鏡１と同様に、撮影距離保持具３の内周面３１および内視鏡本体２の先端面２２４が高反射率となっているので、観察視野内を均一に照明することができ、よって、より適正な観察画像を得ることができる。
また、部品点数が減少し、生産性が向上する。
【００８８】
なお、この内視鏡１でも前述した第３実施例の内視鏡１と同様に、図１１に示すように、撮影距離保持具３が、外表面および先端に、軟質材料で構成された被覆層３４を有していてもよい。
【００８９】
次に、本発明の内視鏡の第６実施例を説明する。
図１２は、本発明の内視鏡の第６実施例における内視鏡本体２を示す図（図２中のＡ−Ａ線矢視図）である。なお、前述した第１または第２実施例の内視鏡１との共通点については説明を省略し、主な相違点を説明する。
【００９０】
同図に示すように、第６実施例の内視鏡１では、撮影距離保持具３が省略されている。そして、内視鏡本体２の先端面２２４が高反射率とされている。
【００９１】
この内視鏡１でも前述した第１実施例等の内視鏡１と同様に、内視鏡本体２の先端面２２４が高反射率となっているので、観察視野内を均一に照明することができ、よって、より適正な観察画像を得ることができる。
【００９２】
以上、本発明の内視鏡を、図示の各実施例に基づいて説明したが、本発明はこれらに限定されるものではなく、各部の構成は、同様の機能を有する任意の構成のものに置換することができる。
【００９３】
例えば、前述した各実施例は、ファイバー内視鏡（ファイバースコープ）であるが、本発明は、これに限らず、内視鏡本体の先端部にＣＣＤ（撮像素子）等を内蔵する電子内視鏡（ビデオスコープ）であってもよい。
【００９４】
また、本発明では、着脱自在の撮影距離保持具を有する内視鏡の場合、撮影距離保持具が内視鏡本体の先端部に嵌合し得るように構成されていてもよい。
【００９５】
また、本発明では、撮影距離保持具を有する内視鏡の場合、内視鏡本体の少なくとも先端および／または撮影距離保持具の少なくとも内周面が、その部位での照明光の反射により観察部位の照明を補助し得る程度の高反射率とされていればよい。
【００９６】
但し、より均一な照明を行うという観点から、内視鏡本体の少なくとも先端と、撮影距離保持具の少なくとも内周面とをそれぞれ、その部位での照明光の反射により観察部位の照明を補助し得る程度の高反射率とするのが好ましい。
【００９７】
【発明の効果】
以上述べたように、本発明の内視鏡によれば、観察視野内を均一に照明することができ、よって、より適正な観察画像を得ることができる。
【図面の簡単な説明】
【図１】本発明の内視鏡の第１実施例を示す全体図である。
【図２】図１に示す内視鏡の先端部の構成を示す側面図である。
【図３】図１に示す内視鏡の先端部における照明光の反射を示す図である。
【図４】図２中のＡ−Ａ線矢視図である。
【図５】図１に示す内視鏡の内視鏡本体の先端部と撮影距離保持具とを示す部分断面図である。
【図６】本発明の内視鏡の第２実施例における内視鏡本体の先端部と撮影距離保持具とを示す部分断面図である。
【図７】本発明の内視鏡の第３実施例における内視鏡本体の先端部と撮影距離保持具とを示す部分断面図である。
【図８】本発明の内視鏡の第４実施例における内視鏡本体と撮影距離保持具とを示す図（図２中のＡ−Ａ線矢視図）である。
【図９】本発明の内視鏡の第４実施例における内視鏡本体の先端部と撮影距離保持具とを示す部分断面図である。
【図１０】本発明の内視鏡の第５実施例における内視鏡本体の先端部と撮影距離保持具とを示す部分断面図である。
【図１１】本発明の内視鏡の第５実施例における内視鏡本体の先端部と撮影距離保持具とを示す部分断面図である。
【図１２】本発明の内視鏡の第６実施例における内視鏡本体を示す図（図２中のＡ−Ａ線矢視図）である。
【符号の説明】
１              内視鏡
２              内視鏡本体
２１            湾曲部
２２            先端部
２２１          縮径部
２２２          雄ねじ
２２３          端面
２２４          先端面（先端）
２２５          遮光部
２２６          反射層（被覆層）
２３            チャンネル（ルーメン）
２４            送気・送水口
３              撮影距離保持具
３１            内周面
３２            雌ねじ
３３            端面
３４            被覆層
３５            反射層（被覆層）
４              操作部
４１            操作部本体
４２            操作部カバー
４３            湾曲操作レバー
５              観察光学系（対物光学系）
６              照明光学系
７              接眼部
８              連結管
９              コネクタ
１１            連結部
１１１          長孔
１１５          突起
１１６          頭部
１１７          軸部
【図１】
0003869535.tif 000002
【図２】
0003869535.tif 000003
【図３】
0003869535.tif 000004
【図４】
0003869535.tif 000005
【図５】
0003869535.tif 000006
【図６】
0003869535.tif 000007
【図７】
0003869535.tif 000008
【図８】
0003869535.tif 000009
【図９】
0003869535.tif 000010
【図１０】
0003869535.tif 000011
【図１１】
0003869535.tif 000012
【図１２】
0003869535.tif 000013